(57)【要約】【課題】衛生的な製氷装置及びそれを用いた冷蔵庫を提供する。【解決手段】冷凍サイクルの冷媒が流通して低温に維持される冷媒管１３を有した冷却部３０と、冷却部３０に背面を密着するとともに表面を流動する水を冷却部３０の冷却により凍結して製氷する製氷板９とを備えた製氷装置６において、製氷板６を冷却部３０に対して着脱可能にし、断面円形の冷媒管１３の周面に接する円筒面９ｄを製氷板９の背面に設けた。【選択図】図５
2007155298.tif 000002
【特許請求の範囲】
【請求項１】
冷凍サイクルの冷媒が流通して低温に維持される冷媒管を有した冷却部と、前記冷却部に背面を密着するとともに表面を流動する水を前記冷却部の冷却により凍結して製氷する製氷板とを備えた製氷装置において、前記製氷板を前記冷却部に対して着脱可能にしたことを特徴とする製氷装置。
【請求項２】
断面円形の前記冷媒管の周面に接する円筒面を前記製氷板の背面に設けたことを特徴とする請求項１に記載の製氷装置。
【請求項３】
前記冷却部は、前記冷媒管に固着して前記冷媒管と前記製氷板との間に配される板状の冷却板を有することを特徴とする請求項１に記載の製氷装置。
【請求項４】
互いに嵌合する凹凸部を前記製氷板の背面及び前記冷却板の前面に設けたことを特徴とする請求項３に記載の製氷装置。
【請求項５】
製氷温度で凍結する流体を前記冷却板と前記製氷板との間に供給する流体供給手段を設けたことを特徴とする請求項３または請求項４に記載の製氷装置。
【請求項６】
前記冷却部は、前記製氷板に接するとともに弾性体から成る熱伝導部材を有することを特徴とする請求項１〜請求項４のいずれかに記載のに記載の製氷装置。
【請求項７】
前記製氷板を前記冷却部の方向に付勢する付勢手段を設けたことを特徴とする請求項１〜請求項６のいずれかに記載の製氷装置。
【請求項８】
前記付勢手段が電磁石から成ることを特徴とする請求項７に記載の製氷装置。
【請求項９】
冷凍サイクルの運転により前記冷却部を高温に維持して前記製氷板から離氷することを特徴とする請求項１〜請求項８のいずれかに記載の製氷装置。
【請求項１０】
請求項１〜請求項９のいずれかに記載の製氷装置が配されるとともに氷点よりも高温に維持される製氷室と、氷点よりも低温に維持して前記製氷板から離氷した氷を貯氷する貯氷部とを備えたことを特徴とする冷蔵庫。
【発明の詳細な説明】
【技術分野】
【０００１】
本発明は、流動する水を冷却して製氷する製氷装置及びそれを備えた冷蔵庫に関する。
【背景技術】
【０００２】
製氷板上に流水して製氷する製氷装置は特許文献１、２に開示されている。この製氷装置は製氷のための冷凍サイクルを備え、冷媒が流通する冷媒管から成る冷却部が冷凍サイクルの低温側となる。冷却部には溶接等により製氷板が固着され、冷却部により氷点以下に冷却される製氷板上に流水して氷を層状に成長させる。これにより、不純物の少ない透明な氷を迅速に作ることができる。製氷された氷は離氷装置により離氷される。
【０００３】
離氷装置は冷媒を製氷時と逆方向に流通させて冷凍サイクルの高温側となる冷却部によって製氷板を昇温し、氷を融解して製氷板から離氷する。製氷板に衝撃を加えて氷を離氷してもよい。離氷された氷は貯氷部に貯氷される。
【特許文献１】特開昭５５−５３６６８号公報（第１頁−第４頁、第１図）
【特許文献２】国際公開第００／７０２７８号パンフレット
【発明の開示】
【発明が解決しようとする課題】
【０００４】
しかしながら、上記従来の製氷装置によると、製氷を停止した際に製氷板は氷点よりも高温に維持され、氷片が融解した水が製氷板上に残留する。このため、製氷装置を停止して製氷板が常温に維持されると、製氷板にカビや雑菌が繁殖して製氷装置が不衛生になる問題があった。
【０００５】
冷蔵庫内に製氷装置を配して製氷板の周囲温度が低く維持される場合であっても、冷蔵庫の扉の開閉によって製氷板が外気に長期間曝されると上記と同様に製氷板にカビや雑菌が繁殖する危険がある。特に、製氷板を昇温して離氷する場合は、離氷時に融解して製氷板に付着した水滴が昇温されるため、周囲温度に拘わらずカビや雑菌の発生が顕著になる。
【０００６】
本発明は、衛生的な製氷装置及びそれを用いた冷蔵庫を提供することを目的とする。
【課題を解決するための手段】
【０００７】
上記目的を達成するために本発明の製氷装置は、冷凍サイクルの冷媒が流通して低温に維持される冷媒管を有した冷却部と、前記冷却部に背面を密着するとともに表面を流動する水を前記冷却部の冷却により凍結して製氷する製氷板とを備えた製氷装置において、前記製氷板を前記冷却部に対して着脱可能にしたことを特徴としている。
【０００８】
この構成によると、冷凍サイクルが運転されると冷媒管に冷媒が流通して冷却部が冷却される。冷却部に装着される製氷板は冷却部と密着して氷点以下に維持され、製氷板上に水が供給される。製氷板上を流動する水は層状に凍結し、積層により徐々に成長して製氷される。また、製氷を停止して製氷板を冷却部から取り外し、製氷板の洗浄等が行われる。
【０００９】
また本発明は、上記構成の製氷装置において、断面円形の前記冷媒管の周面に接する円筒面を前記製氷板の背面に設けたことを特徴としている。この構成によると、製氷板の背面に設けた円筒面が断面円形の冷媒管に嵌合して製氷板が冷却部に密着される。
【００１０】
また本発明は、上記構成の製氷装置において、前記冷却部は、前記冷媒管に固着して前記冷媒管と前記製氷板との間に配される板状の冷却板を有することを特徴としている。この構成によると、冷媒管に固着される冷却板の前面に製氷板の背面が接して製氷板が冷却部に密着される。
【００１１】
また本発明は、上記構成の製氷装置において、互いに嵌合する凹凸部を前記製氷板の背面及び前記冷却板の前面に設けたことを特徴としている。この構成によると、例えば、冷却板の前面に設けた凹部に製氷板の背面に設けた凸部が嵌合して製氷板が冷却部に密着される。
【００１２】
また本発明は、上記構成の製氷装置において、製氷温度で凍結する流体を前記冷却板と前記製氷板との間に供給する流体供給手段を設けたことを特徴としている。この構成によると、流体供給手段により冷却板と製氷板との間に流体が供給され、冷却板の冷却によって該流体が凍結して製氷板が冷却部に密着される。
【００１３】
また本発明は、上記構成の製氷装置において、前記冷却部は、前記製氷板に接するとともに弾性体から成る熱伝導部材を有することを特徴としている。この構成によると、冷却部に設けた熱伝導部材が弾性変形して製氷板に密着し、冷却部の冷熱が熱伝導部材を介して製氷板に伝えられる。
【００１４】
また本発明は、上記構成の製氷装置において、前記製氷板を前記冷却部の方向に付勢する付勢手段を設けたことを特徴としている。この構成によると、製氷板を冷却部に装着すると付勢手段の付勢により製氷板の装着状態が保持される。
【００１５】
また本発明は、上記構成の製氷装置において、前記付勢手段が電磁石から成ることを特徴としている。
【００１６】
また本発明は、上記構成の製氷装置において、冷凍サイクルの運転により前記冷却部を高温に維持して前記製氷板から離氷することを特徴としている。この構成によると、製氷時と逆方向に冷媒が流通して冷凍サイクルの高温側になる冷却部により製氷板を昇温し、製氷板上の氷が離氷される。
【００１７】
また本発明の冷蔵庫は、上記各構成の製氷装置が配されるとともに氷点よりも高温に維持される製氷室と、氷点よりも低温に維持して前記製氷板から離氷した氷を貯氷する貯氷部とを備えたことを特徴としている。
【発明の効果】
【００１８】
本発明によると、製氷板を冷却部に対して着脱自在にしたので、製氷板を冷却部から脱着して洗浄することができる。従って、製氷板のカビや雑菌の繁殖を防止し、衛生的な製氷装置を得ることができる。
【００１９】
また本発明によると、断面円形の冷媒管の周面に接する円筒面を製氷板の背面に設けたので、冷却部と製氷板とを容易に密着して冷却部の冷熱を製氷板に効率よく伝え、製氷性能の低下を防止することができる。
【００２０】
また本発明によると、冷却部は冷媒管に固着して冷媒管と製氷板との間に配される板状の冷却板を有するので、冷却部と製氷板とを容易に密着して冷却部の冷熱を製氷板に効率よく伝え、製氷性能の低下を防止することができる。
【００２１】
また本発明によると、互いに嵌合する凹凸部を前記製氷板の背面及び前記冷却板の前面に設けたので、冷却部と製氷板との密着面積を増加して、冷却部の冷熱を更に効率よく製氷板に伝えることができる。
【００２２】
また本発明によると、製氷温度で凍結する流体を冷却板と製氷板との間に供給する流体供給手段を設けたので、冷却板と製氷板との間に供給した流体が凍結し、製氷板を容易に保持できるとともに冷却部の冷熱を効率よく製氷板に伝えることができる。また、流体の融解により製氷板を容易に脱着することができる。
【００２３】
また本発明によると、冷却部は製氷板に接するとともに弾性体から成る熱伝導部材を有するので、冷却部と製氷板とをより確実に密着させるとともに、冷却部の冷熱を効率よく製氷板に伝えることができる。
【００２４】
また本発明によると、製氷板を冷却部の方向に付勢する付勢手段を設けたので、製氷板を冷却部に確実に密着して保持することができる。
【００２５】
また本発明によると、付勢手段が電磁石から成るので、製氷板を冷却部に付勢する付勢手段を容易に実現することができる。
【００２６】
また本発明によると、冷凍サイクルの運転により冷却部を高温に維持して製氷板から離氷するので、離氷時に融解して製氷板上に残留する水滴が昇温されることよるカビや雑菌の繁殖を防止してより衛生的な製氷装置を得ることができる。
【発明を実施するための最良の形態】
【００２７】
＜第１実施形態＞
以下に本発明の実施形態を図面を参照して説明する。図１、図２は第１実施形態の冷蔵庫を示す正面図及び側面断面図である。冷蔵庫１は本体部１ａに各貯蔵室が設けられ、本体部１ａに枢支される扉により各貯蔵室が開閉される。本体部１ａの上部には冷蔵室２が配され、冷蔵室２の下方に野菜室３、冷凍室４及び貯氷室２１（貯氷部）が設けられる。冷蔵室２は貯蔵物を冷蔵保存する温度（約３℃）に維持され、扉２ａにより開閉される。野菜室３は左方に配されて扉３ａにより開閉され、冷蔵室２よりも高温（約８℃）に維持して野菜を冷蔵保存する。
【００２８】
冷凍室４は右側下段に配されて扉４ｂにより開閉され、貯蔵物を冷凍保存する温度（約−１８℃）に維持される。貯氷室２１は断熱壁２２により冷凍室４の上方に断熱隔離して配置され、冷凍室４よりも高温（例えば、−３℃）に維持されている。これにより、冷凍温度に維持する容積が減少して省電力化を図ることができる。貯氷室２１は氷を貯氷する貯氷容器１７が配される。貯氷室２１の前面の扉４ａを開くことにより貯氷容器１７を引き出して氷を取り出すことができる。
【００２９】
冷蔵室２は断熱材を充填した断熱壁１５で野菜室３及び貯氷室２１と断熱隔離されている。断熱壁１５は開口部１５ａを有し、開口部１５ａを開閉するダンパ１６が貯氷室２１に設けられている。これにより、貯氷室２１から冷蔵室２に流入する冷気を遮蔽し、冷蔵室２の貯蔵物の過冷却を防止することができる。
【００３０】
また、開口部１５ａの周囲にはヒータ２５が埋設されている。これにより、開口部１５ａの周囲を昇温して貯氷室２１の冷気による結露を防止することができる。野菜室３と冷凍室４とは断熱材を充填した断熱壁１９で断熱隔離されている。また、冷蔵室２の下部には樹脂製の仕切板５ａで仕切られた隔離室５が設けられる。
【００３１】
また、冷蔵室２の下部には製氷装置６が配されている。製氷装置６は冷媒管１３を有した冷却部３０の前面に製氷板９が配される。冷却部３０及び製氷板９は隔離室５内に配され、冷蔵室２内の貯蔵物の過冷却を防止することができる。また、製氷板９に供給される水を貯水する給水タンク７が隔離室５に隣接して配されている。
【００３２】
冷媒管１３はノンフロン冷媒であるＨＣ冷媒（Ｒ６００ａ）等の冷媒が流通し、製氷板９はステンレス等の金属板から成る。冷媒管１３内を冷媒が流通して冷凍サイクルが運転され、冷却部３０が冷凍サイクルの低温側になる。これにより、冷却部３０に密着する製氷板９が氷点以下に冷却される。
【００３３】
図３、図４は製氷装置６の詳細を示す斜視図及び側面断面図である。冷却部３０は冷媒管１３を支持する支持部３１を有し、支持部３１は断熱壁１５（図１参照）上に配された循環タンク１０に立設される。循環タンク１０は上面を開口し、給水ポンプ（不図示）の駆動により給水路１８を介して給水タンク７（図１参照）から水が供給される。循環タンク１０には１回の製氷に最低限必要な水量よりも多い水量（例えば、１．５倍程度）が貯水される。
【００３４】
循環タンク１０には散水パイプ１２の一端が浸漬され、散水パイプ１２の他端に設けた散水孔１２ａが製氷板９の上部に配される。循環ポンプ１１の駆動により循環タンク１０の水が汲上げられ、散水孔１２ａから製氷板９の上部に散水することができる。また、循環タンク１０に浸漬されるフロートスイッチ３３ａを有した水位センサ３３が設けられる。
【００３５】
製氷板９の表面の製氷面には、複数のリブ９ａが上下に延びて設けられ、各リブ９ａの間を水平に仕切る複数の仕切部材９ｂが設けられる。仕切部材９ｂは低熱伝導性部材から成り、各仕切部材９ｂ間に形成される凹部９ｃに氷Ｗが形成される。
【００３６】
製氷板９の上端及び下端には後方に延びる爪部９ａ、９ｂが形成され、支持部３１には爪部９ａ、９ｂにそれぞれ係合する段差部３１ａ及び溝部３１ｂが形成されている。爪部９ａ、９ｂが段差部３１ａ及び溝部３１ｂに係合して製氷板９が冷却部３０に装着される。支持部３１の上部には製氷板９の装着状態をロックする押え部材３２が設けられている。
【００３７】
押え部材３２のロックを解除して製氷板９を引き出すと図５に示すように、製氷板９が循環タンク１０や散水パイプ１２と一体に冷却部３０から脱着される。従って、製氷部９は冷却部３０に対して着脱自在になっている。製氷板９を循環タンク１０や散水パイプ１２と別々に冷却部３０から着脱できるようにしてもよい。また、支持部３１には冷却部３０に取り付けられた製氷板９に接して製氷板９の温度を検知する温度センサ３４が設けられている。
【００３８】
製氷板９の背面には断面円形の冷媒管１３の周面に接する円筒面を有した突起部９ｄが設けられている。これにより、冷却部３０に装着された製氷板９と冷媒管１３とを容易に密着させることができる。その結果、冷却部３０の冷熱を製氷板９に効率よく伝えて製氷性能の低下を防止することができる。
【００３９】
上記構成の製氷装置６において、冷凍サイクルの運転により冷媒管１３を冷媒が流通し、冷却部３０が冷凍サイクルの低温側になる。循環ポンプ１１を駆動して散水孔１２ａから製氷板９上に流水すると製氷板４が冷媒温度付近まで急冷される。これにより、低熱伝導部材から成る仕切部材９ｂを除く製氷板９の凹部９ｃの表面には氷膜が形成され、連続的に流水することにより氷膜が積層して略半球状の氷Ｗが形成される。
【００４０】
この時、水位センサ３３によって循環タンク１０内の水位を検知し、循環タンク１０内の水量が所定量減少すると所望の大きさの氷Ｗが完成したと判断される。これにより、冷凍サイクル及び循環ポンプ１０が停止され、製氷動作を終了する。そして、給水タンク７から循環タンク１０に製氷前の所定の水位まで給水される。
【００４１】
次に、製氷時と逆方向に冷媒管１３内を冷媒が流通して冷却部３０が冷凍サイクルの高温側に維持される。これにより、製氷板４が昇温され、氷Ｗの背面側が融解して製氷板４から脱落して離氷される。製氷板９から離氷された氷はダンパ１６により開かれた開口部１５ａを介して貯氷容器１７に落下して溜められる。扉４ａにより貯氷室２１を開くと、氷Ｗを取り出すことができる。尚、仕切部材９ｂの移動や振動により氷Ｗを離氷してもよく、製氷板９に衝撃を加えて氷Ｗを離氷してもよい。
【００４２】
所定の操作スイッチ（不図示）の操作により製氷板９を冷却部３０から取り外すように指示すると、水位センサー３３により循環タンク１０の水位が検知される。循環タンク１０の水位が製氷前の水位よりも低い場合は製氷中であるため製氷板９の脱着動作が中止される。
【００４３】
循環タンク１０の水位が製氷前の水位に到達していると、温度センサー３４によって製氷板９の温度が検知される。製氷板９が氷点よりも低温の場合は離氷前であるため製氷板９の脱着動作が中止される。製氷板９が氷点よりも高温になっていると押え部材３２のロックが解除される。これにより、製氷板９を脱着することができる。
【００４４】
本実施形態によると、製氷板９を冷却部３０に対して着脱自在にしたので、製氷板９を冷却部３０から脱着して洗浄することができる。従って、製氷板９のカビや雑菌の繁殖を防止し、衛生的な製氷装置を得ることができる。特に、離氷時に融解して製氷板９上に残留する水滴が昇温されることよるカビや雑菌の繁殖を確実に防止することができる。
【００４５】
＜第２実施形態＞
図６は第２実施形態の冷蔵庫の製氷装置６の要部を示す側面断面図である。説明の便宜上、前述の図１〜図５に示す第１実施形態と同様の部分には同一の符号を付している。本実施形態は第１実施形態と同様に構成され、製氷板９の背面の円筒面を有する突起部９ｄ（図４参照）に替えて断面コ字状の突起部９ｅが形成される。また、冷媒管１３と突起部９ｅとの間には弾性体から成るシート状の熱伝導部材３５が設けられる。その他の部分は第１実施形態と同様である。
【００４６】
本実施形態によると、弾性体から成る熱伝導部材３５を冷却部３０に設けたので、冷却部３０に装着された製氷板９の突起部９ｅと冷却部３０とを容易に密着して冷却部３０の冷熱を製氷板９に効率よく伝えることができる。尚、第１実施形態の円筒面を有する突起部９ｄ（図４参照）と冷媒管１３との間に熱伝導部材３５を設けてもよい。
【００４７】
＜第３実施形態＞
図７は第３実施形態の冷蔵庫の製氷装置６の要部を示す側面断面図である。説明の便宜上、前述の図１〜図５に示す第１実施形態と同様の部分には同一の符号を付している。本実施形態は第１実施形態と同様に構成され、冷却部３０は溶接等により冷媒管１３に固着される板状の冷却板３６を有している。また、製氷板９の背面の突起部９ｄ（図４参照）が省かれている。その他の部分は第１実施形態と同様である。
【００４８】
冷却板３６は板状に形成され、平面に形成される製氷板９の背面に密着する。また、押え部材３２のロックを解除すると図８に示すように、製氷板９を冷却部３０から容易に脱着することができる。
【００４９】
本実施形態によると、板状の冷却板３６を冷却部３０に設けたので、冷却部３０に装着された製氷板９と冷却部３０とを容易に密着して冷却部３０の冷熱を製氷板９に効率よく伝えることができる。
【００５０】
＜第４実施形態＞
図９は第４実施形態の冷蔵庫の製氷装置６の要部を示す側面断面図である。説明の便宜上、前述の図７、図８に示す第３実施形態と同様の部分には同一の符号を付している。本実施形態は第３実施形態と同様に構成され、冷却部３０は冷却板３６の前面に配される弾性体から成るシート状の熱伝導部材３７を有している。その他の部分は第３実施形態と同様である。
【００５１】
本実施形態によると、平板状の冷却板３６と製氷板９との間に配される熱伝導部材３７を冷却部３０に設けたので、冷却部３０に装着された製氷板９と冷却部３０とを更に容易に密着して冷却部３０の冷熱を製氷板９に効率よく伝えることができる。
【００５２】
＜第５実施形態＞
図１０は第５実施形態の冷蔵庫の製氷装置６の要部を示す側面断面図である。説明の便宜上、前述の図７、図８に示す第３実施形態と同様の部分には同一の符号を付している。本実施形態は第３実施形態と同様に構成され、冷却部３０の冷却板３６の前面及び製氷板９の背面には互いに嵌合する凹凸部３６ａ、９ｆが設けられる。その他の部分は第３実施形態と同様である。
【００５３】
本実施形態によると、冷却板３６と製氷板９とは凹凸部３６ａ、９ｆによって接触面積が増加する。このため、冷却部３０に装着された製氷板９と冷却部３０とを密着して冷却部３０の冷熱を更に効率よく製氷板９に伝えることができる。尚、凹凸部３６ａ、９ｆの間に弾性体から成る熱伝導部材を配してもよい。
【００５４】
＜第６実施形態＞
図１１は第６実施形態の冷蔵庫の製氷装置６の要部を示す側面断面図である。説明の便宜上、前述の図７、図８に示す第３実施形態と同様の部分には同一の符号を付している。本実施形態は第３実施形態と同様に構成され、押え部材３２（図７参照）に替えて電磁石４０が支持部３０に設けられ、電磁石４０に対向する磁性体４１が製氷板９の背面の上下端に設けられる。また、製氷板９の背面の爪部９ａ、９ｂ及び支持部３０の段差部３０ａ、溝部３０ｂ（いずれも図８参照）が省かれている。その他の部分は第３実施形態と同様である。
【００５５】
電磁石４０のコイル４０ａに通電すると磁性体４１が電磁石４０に引き付けられ、製氷板９が冷却板３６に密着する。従って、電磁石４０は製氷板９を冷却部３０の方向に付勢する付勢手段を構成する。また、コイル４０ａの通電を遮断すると、図１２に示すように製氷板９を冷却部３０から脱着することができる。
【００５６】
尚、製氷板９が磁性体から成る場合は磁性体４１を省いてもよい。また、磁性体４１として永久磁石を用いてもよい。この場合、製氷板９の装着時と逆方向にコイル４０ａ通電すると、電磁石４０の反発力により製氷板９を簡単に脱着することができる。
【００５７】
本実施形態によると、製氷板９を冷却部３０の方向に付勢する電磁石４０から成る付勢手段を設けたので、製氷板９と冷却部３０とをより確実に密着させることができる。これにより、冷却部３０の冷熱を製氷板９に効率よく伝えることができる。尚、第１、第２、第４、第５実施形態の製氷装置に同様の付勢手段を設けてもよく、バネ等から成る付勢手段を設けてもよい。
【００５８】
＜第７施形態＞
図１３は第７実施形態の冷蔵庫の製氷装置６の要部を示す側面断面図である。説明の便宜上、前述の図７、図８に示す第３実施形態と同様の部分には同一の符号を付している。本実施形態は第３実施形態と同様に構成され、散水パイプ１２から三方弁４３を介して分岐するノズル４４（流体供給手段）が設けられる。その他の部分は第３実施形態と同様である。
【００５９】
ノズル４４は製氷板９の後方に延びて形成され、三方弁４３の切り替えによって冷却板３６と製氷板９との間に水が供給される。この水は冷却板３６と製氷板９との隙間に浸透し、表面張力により保持される。その後、冷凍サイクルの運転により冷却部３０を冷却すると、水が凍結して冷却板３６と製氷板９の間に氷Ａが生成される。これにより、製氷板９は小さい熱抵抗で冷却部３０に密着して保持される。
【００６０】
また、冷却部３０を冷凍サイクルの高温側にすると、氷Ａが融解して製氷板９を容易に冷却部３０から脱着することができる。融解した水は支持部３１の下部に設けたドレン受け４５に回収される。尚、水以外の流体を循環タンク１０と異なるタンクから供給してもよい。この時、該流体は製氷時に融解しないように、水と同様に少なくとも製氷温度以上の融点を有して製氷温度で凍結している必要がある。
【００６１】
本実施形態によると、製氷温度で凍結する流体を冷却板３６と製氷板９との間に供給する流体供給手段を設けたので、冷却板３６と製氷板９との間に供給した流体が凍結し、製氷板９を容易に保持できるとともに冷却部３０の冷熱を効率よく製氷板９に伝えることができる。また、流体の融解により製氷板９を容易に脱着することができる。尚、第５、第６実施形態の製氷装置に同様の流体供給手段を設けてもよい。
【００６２】
第１〜第７実施形態において、立設した製氷板９の製氷面に水を流下して製氷を行っているが、冷却された製氷板上を流れる水を層状に凍結させる方式であれば他の方式でもよい。例えば、横設した製氷板上にポンプ等によって水を水平に流水させる方式や、製氷板を傾斜して水を流下させる方式等がある。また、製氷板に向けて下方等から噴射された水が製氷板に沿って流れる噴射方式や、製氷板で囲まれたセル内に給水して製氷板上を水が流れるセル方式等でもよい。即ち、製氷板上に水を流動させながら製氷する方式であればよい。尚、製氷板の製氷面は波形等の他の形状であってもよい。
【産業上の利用可能性】
【００６３】
本発明によると、流動する水を冷却して製氷する製氷装置及びそれを備えた冷蔵庫に利用することができる。
【図面の簡単な説明】
【００６４】
【図１】本発明の第１実施形態の冷蔵庫を示す正面図
【図２】本発明の第１実施形態の冷蔵庫を示す側面断面図
【図３】本発明の第１実施形態の冷蔵庫の製氷装置を示す斜視図
【図４】本発明の第１実施形態の冷蔵庫の製氷装置を示す側面断面図
【図５】本発明の第１実施形態の冷蔵庫の製氷装置の製氷板を脱着した状態を示す側面断面図
【図６】本発明の第２実施形態の冷蔵庫の製氷装置を示す側面断面図
【図７】本発明の第３実施形態の冷蔵庫の製氷装置を示す側面断面図
【図８】本発明の第３実施形態の冷蔵庫の製氷装置の製氷板を脱着した状態を示す側面断面図
【図９】本発明の第４実施形態の冷蔵庫の製氷装置を示す側面断面図
【図１０】本発明の第５実施形態の冷蔵庫の製氷装置を示す側面断面図
【図１１】本発明の第６実施形態の冷蔵庫の製氷装置を示す側面断面図
【図１２】本発明の第６実施形態の冷蔵庫の製氷装置の製氷板を脱着した状態を示す側面断面図
【図１３】本発明の第７実施形態の冷蔵庫の製氷装置を示す側面断面図
【符号の説明】
【００６５】
１    冷蔵庫
２    冷蔵室
３    野菜室
４    冷凍室
５    隔離室
６    製氷装置
７    給水タンク
９    製氷板
９ｄ  突起部
９ｆ  凹凸部
１０    循環タンク
１１    循環ポンプ
１２    散水パイプ
１２ａ  散水孔
１３    冷媒管
１５、１９、２２  断熱壁
１５ａ  開口部
１６    ダンパ
１７    貯氷容器
１８    給水路
２１    貯氷室
２５    ヒータ
３０    冷却部
３１    支持部
３２    押え部材
３３    水位センサ
３４    温度センサ
３５、３７  熱伝導部材
３６    冷却板
３６ａ  凹凸部
４０    電磁石
４１    磁性体
４３    三方弁
４４    ノズル
４５    ドレン受け
【図１】
2007155298.tif 000003
【図２】
2007155298.tif 000004
【図３】
2007155298.tif 000005
【図４】
2007155298.tif 000006
【図５】
2007155298.tif 000007
【図６】
2007155298.tif 000008
【図７】
2007155298.tif 000009
【図８】
2007155298.tif 000010
【図９】
2007155298.tif 000011
【図１０】
2007155298.tif 000012
【図１１】
2007155298.tif 000013
【図１２】
2007155298.tif 000014
【図１３】
2007155298.tif 000015